(57)【要約】【課題】二段階離脱操作を確実に行い、コネクタの挿入力のピーク値を低減させる。【解決手段】本明細書によって開示されるコネクタ（雄コネクタ２０）は、相手側コネクタ（雌コネクタ１２０）に嵌合および離脱可能なコネクタであって、インターロック回路を構成する弱電端子（ショートピン６０）と、強電回路を構成する強電端子と、前記弱電端子を保持し、前記相手側コネクタと離脱することで前記インターロック回路が開くインナーハウジングと、前記インナーハウジングの外周に配され、前記強電端子を保持し、前記相手側コネクタと離脱することで前記強電回路が開くアウターハウジングとを備える構成とした。【選択図】図８
2017098023.tif 000002
【特許請求の範囲】
【請求項１】
相手側コネクタに嵌合および離脱可能なコネクタであって、
インターロック回路を構成する弱電端子と、
強電回路を構成する強電端子と、
前記弱電端子を保持し、前記相手側コネクタと離脱することで前記インターロック回路が開くインナーハウジングと、
前記インナーハウジングの外周に配され、前記強電端子を保持し、前記相手側コネクタと離脱することで前記強電回路が開くアウターハウジングとを備えるコネクタ。
【請求項２】
前記アウターハウジングは、前記インターロック回路が閉じた閉状態と、前記インターロック回路が開いた開状態とを切替可能とされ、
前記インナーハウジングは、前記閉状態にあるときには前記相手側コネクタと嵌合した状態に保持されており、前記開状態にあるときには前記相手側コネクタから離脱可能とされている請求項１に記載のコネクタ。
【請求項３】
前記開状態にあるアウターハウジングは、前記強電回路が閉じた通電位置と、前記強電回路が開いた非通電位置との間では前記インナーハウジングと一体的に移動可能とされている請求項２に記載のコネクタ。
【発明の詳細な説明】
【技術分野】
【０００１】
本明細書によって開示される技術は、コネクタに関する。
【背景技術】
【０００２】
従来、インターロック回路を備えたコネクタとして、特開２０１５−９５４０３号公報（下記特許文献１）に記載のものが知られている。このコネクタは、一対の雌端子と、一対のインターロック端子と、これらの端子を内部に収容するハウジングとを備えて構成されている。さらに、ハウジングは、機器側コネクタが内部に嵌合可能なフード部と、フード部の奥壁を前後方向に貫通するハウジング本体とを備えて構成されている。一対の雌端子は、ハウジング本体の内部に収容され、一対のインターロック端子は、フード部の奥壁の内部に収容されている。また、インターロック端子は、正面視においてハウジング本体とフード部の周壁との間に位置している。
【０００３】
コネクタのフード部内に機器側コネクタを挿入していくと、まず、一対の雌端子と一対の機器側端子とが接続されて電源回路が閉じ、次に、一対のインターロック端子と一対の機器側インターロック端子とが接続されてインターロック回路が閉じられる。インターロック回路が閉じられると、電源回路が通電可能な状態に切り替わる。これとは逆に、コネクタを機器側コネクタから離脱させていくと、まず、インターロック回路が開いた状態となって電源回路が通電不能な状態に切り替わり、電源回路への電力の供給が停止されてから、電源回路が開くようになっている。
【先行技術文献】
【特許文献】
【０００４】
【特許文献１】特開２０１５−９５４０３号公報
【発明の概要】
【発明が解決しようとする課題】
【０００５】
しかしながら、上記のコネクタでは、コネクタの離脱時に、インターロック回路が開いてから電源回路がオフ状態に至るまでの遅延時間を確保するために、ハウジングとは別体の嵌合保証部が必須となっており、部品点数の削減は困難となっている。また、コネクタ挿入力に影響を与える部品（上記のコネクタでは一対の雌端子と一対のインターロック端子とが相当）が同一のハウジング内に収容されているため、全ての部品が同時に移動する。このため、コネクタ挿入力のピーク値を低減させようとすると、各部品の挿入力がピークを迎えるタイミングをずらす必要があるものの、機器側コネクタの部品配置によっては、タイミングをずらすことができない場合もある。
【課題を解決するための手段】
【０００６】
本明細書によって開示されるコネクタは、相手側コネクタに嵌合および離脱可能なコネクタであって、インターロック回路を構成する弱電端子と、強電回路を構成する強電端子と、前記弱電端子を保持し、前記相手側コネクタと離脱することで前記インターロック回路が開くインナーハウジングと、前記インナーハウジングの外周に配され、前記強電端子を保持し、前記相手側コネクタと離脱することで前記強電回路が開くアウターハウジングとを備える構成とした。
【０００７】
このような構成によると、アウターハウジングに弱電端子を保持させ、インナーハウジングに強電端子を保持させ、アウターハウジングの離脱操作とインナーハウジングの離脱操作とを別々に行うことで、二段階離脱操作を確実に行うことができる。一方、コネクタの嵌合時には、インナーハウジングが先に相手側コネクタに嵌合し、その後、アウターハウジングが相手側コネクタに嵌合するため、各ハウジングの挿入力がピークを迎えるタイミングをずらすことができ、コネクタの挿入力のピーク値を低減させることができる。
【０００８】
コネクタと相手側コネクタが正規に嵌合した状態では、インナーハウジングとアウターハウジングの双方が相手側コネクタに嵌合しており、インターロック回路と強電回路の双方が閉じた状態となっている。この状態から、まず、アウターハウジングのみを相手側コネクタから離脱させてインターロック回路を開くことにより、強電回路がオン状態からオフ状態に切り替わる。次に、インナーハウジングを相手側コネクタから離脱させることにより、オフ状態となった強電回路を開くことができる。
【０００９】
このように、コネクタを相手側コネクタから離脱させる離脱操作を、アウターハウジングの離脱操作とインナーハウジングの離脱操作とに分けると、自ずと各離脱操作の切替時間が必要になる。この切替時間を、インターロック回路が開いてから強電回路がオフ状態に至るまでの遅延時間とすることで二段階離脱操作が可能になる。したがって、従来のように遅延時間を確保するためにハウジングとは別体の部品を用いる必要がなく、部品点数の削減につながる。
【００１０】
本明細書によって開示されるコネクタは、以下の構成としてもよい。
前記アウターハウジングは、前記インターロック回路が閉じた閉状態と、前記インターロック回路が開いた開状態とを切替可能とされ、前記インナーハウジングは、前記閉状態にあるときには前記相手側コネクタと嵌合した状態に保持されており、前記開状態にあるときには前記相手側コネクタから離脱可能とされている構成としてもよい。
このような構成によると、アウターハウジングが閉状態にあるときには、インナーハウジングが相手側コネクタから離脱することが阻止される。一方、アウターハウジングが開状態にあるときには、インナーハウジングが相手側コネクタから離脱可能となる。したがって、アウターハウジングを閉状態から開状態に切り替えた後、インナーハウジングの離脱操作を開始することができる。
【００１１】
前記開状態にあるアウターハウジングは、前記強電回路が閉じた通電位置と、前記強電回路が開いた非通電位置との間では前記インナーハウジングと一体的に移動可能とされている構成としてもよい。
このような構成によると、開状態にあるアウターハウジングとインナーハウジングとが一体的に通電位置と非通電位置との間を移動するから、インターロック回路が開いた状態のまま、強電回路の開閉を行うことができる。
【発明の効果】
【００１２】
本明細書によって開示されるコネクタによれば、二段階離脱操作を確実に行うことができ、コネクタの挿入力のピーク値を低減させることができる。
【図面の簡単な説明】
【００１３】
【図１】本実施形態の雄コネクタと雌コネクタを嵌合させる前の状態を示した斜視図
【図２】電線に接続された雄端子の斜視図
【図３】かしめリングの斜視図
【図４】インナーハウジングの斜視図
【図５】アウターハウジングの斜視図
【図６】シールドシェルの斜視図
【図７】一対のインターロック端子をショートピンで接続する前の状態を示した斜視図
【図８】雄端子と雌端子の接続状態を示す断面図（その１）
【図９】雄端子と雌端子の接続状態を示す断面図（その２）
【図１０】雄端子と雌端子の接続状態を示す断面図（その３）
【図１１】雄端子と雌端子の接続状態を示す断面図（その４）
【図１２】雄端子と雌端子の接続状態を示す断面図（その５）
【図１３】雄端子と雌端子の接続状態を示す断面図（その６）
【図１４】ショートピンとインターロック端子の接続状態を示す断面図（その１）
【図１５】ショートピンとインターロック端子の接続状態を示す断面図（その２）
【図１６】ショートピンとインターロック端子の接続状態を示す断面図（その３）
【図１７】ショートピンとインターロック端子の接続状態を示す断面図（その４）
【図１８】ショートピンとインターロック端子の接続状態を示す断面図（その５）
【図１９】ショートピンとインターロック端子の接続状態を示す断面図（その６）
【図２０】ショートピンとインターロック端子の接続状態を示す断面図（その７）
【図２１】ショートピンとインターロック端子の接続状態を示す断面図（その８）
【発明を実施するための形態】
【００１４】
＜実施形態＞
実施形態を図１から図３０の図面を参照しながら説明する。本実施形態のコネクタ１０は、図１に示すように、雄コネクタ２０と、雌コネクタ１２０とを備えて構成されている。コネクタ１０は、電源に接続されたワイヤハーネスを機器に接続するためのコネクタであり、雄コネクタ２０がワイヤハーネスに接続され、雌コネクタ１２０が機器に接続されている。したがって、コネクタ１０は、強電回路の一部を構成するとともに、強電回路をオン状態からオフ状態に切り替えるインターロック回路の一部を構成している。
【００１５】
雌コネクタ１２０は、合成樹脂製の雌ハウジング１３０を有し、雌ハウジング１３０の内部には、強電回路を構成する一対の雌端子１４０と、インターロック回路を構成する一対のインターロック端子１５０とが収容されている。一方、雄コネクタ２０は、合成樹脂製のアウターハウジング３０と、合成樹脂製のインナーハウジング４０とを有し、インナーハウジング４０には、強電回路を構成する一対の雄端子５０が保持されている。また、アウターハウジング３０には、インターロック回路を構成するショートピン６０が保持されている。図７に示すように、一対のインターロック端子１５０は、ショートピン６０を介して導通可能に接続される。
【００１６】
図８に示すように、雌ハウジング１３０は、各雌端子１４０を個別に収容する一対の雌端子収容部１３１と、各インターロック端子１５０を一括して収容するインターロック端子収容部１３２とを有している。図１に示すように、インターロック端子収容部１３２は、一対の雌端子収容部１３１の上方に配されている。また、各雌端子収容部１３１の外周には、一対の端子保護壁１３３が設けられ、各端子保護壁１３３の外周には、これらを一括して覆う内筒部１３４が装着されている。さらに、内筒部１３４の外周には、内筒部１３４を覆う外筒部１３５が設けられている。インターロック端子収容部１３２は、内筒部１３４の前縁から前方に突出する形態をなしている。
【００１７】
アウターハウジング３０は、インナーハウジング４０に対して前後方向に移動可能に装着されている。図８におけるインナーハウジング４０に対するアウターハウジング３０の位置を前方位置とし、図１１から図１３におけるインナーハウジング４０に対するアウターハウジング３０の位置を後方位置とする。つまり、アウターハウジング３０は、インナーハウジング４０に対して前方位置と後方位置との間を往復移動可能とされている。また、アウターハウジング３０のうち雌ハウジング１３０と嵌合する部分は、外フード部３１とされている。
【００１８】
アウターハウジング３０の内部には、図６に示す一対のシールドシェル９０が収容されている。シールドシェル９０は、上下一対の接続片９１を有している。接続片９１の両側には、一対の折り返し片９２が設けられている。各折り返し片９２は弾性変位可能とされている。
【００１９】
インナーハウジング４０の外周面には、第２ゴムリング７２が嵌着されている。インナーハウジング４０をアウターハウジング３０の内部に組み付けると、第２ゴムリング７２がインナーハウジング４０の外周面とアウターハウジング３０の内周面との間に挟持され、インナーハウジング４０とアウターハウジング３０との間がシールされる。また、雄端子収容部４１の前面には、内フード部４３が前方に突出して設けられている。
【００２０】
図８に示すように、インナーハウジング４０は、各雄端子５０を収容する雄端子収容部４１と、雄端子５０に連なる電線５１およびゴム栓５２を収容するゴム栓収容部４２とを有している。ゴム栓５２は、ゴム栓収容部４２の内周面と電線５１の外周面との間に挟持され、ゴム栓収容部４２から雄端子収容部４１に水が浸入することが抑制される。
【００２１】
雄端子５０は、図２に示すように、電線５１の内皮を皮剥ぎすることで露出した芯線に接続されている。電線５１の内皮と外皮の間には、シールド線が配されており、シールド線は、外皮を皮剥ぎすることで外部に露出している。一方、外皮の端部には図示しない下敷きリングが装着されている。シールド線を下敷きリング上に折り返すことで折り返し部５３が設けられている。折り返し部５３には、図３に示すかしめリング８０が圧着されるようになっている。かしめリング８０は、小径部８１と大径部８２からなり、小径部８１が折り返し部５３に接続されている。
【００２２】
雌端子１４０は、雄端子５０と同様の折り返し部１４３を有している。この折り返し部１４３には、雄端子５０と同じかしめリング８０が圧着されている。雄端子５０のかしめリング８０と雌端子１４０のかしめリング８０とは、シールドシェル９０によって導通可能に接続される。詳細には、接続片９１の一方の折り返し片９２が雄端子５０のかしめリング８０の大径部８２に弾性的に接触し、接続片９１の他方の折り返し片９２が雌端子１４０のかしめリング８０の大径部８２に弾性的に接触する。したがって、雄コネクタ２０の電線５１のシールド線は、一対のかしめリング８０とシールドシェル９０とを介して雌コネクタ１２０の電線１４１のシールド線に導通可能に接続される。
【００２３】
雄コネクタ２０と雌コネクタ１２０を嵌合させる際には、インナーハウジング４０の内フード部４３を雌端子収容部１３１と内筒部１３４の間に挿入する。雌端子収容部１３１の外周面には、第１ゴムリング７１が嵌着されている。雌端子収容部１３１を内フード部４３の内部に嵌合させると、第１ゴムリング７１が雌端子収容部１３１の外周面と内フード部４３の内周面との間に挟持され、雌端子収容部１３１と内フード部４３との間がシールされる。
【００２４】
雌端子収容部１３１の内部には、ランス１３６が設けられており、雌端子１４０に係止することで雌端子１４０が後方に抜けることを防止している。また、雌端子収容部１３１の前端部には、フロントホルダ１３７が嵌着されている。フロントホルダ１３７は、雌端子１４０の前止まりを行うとともに、第１ゴムリング７１が前方へ抜けることを防止する役割を果たしている。
【００２５】
雌端子１４０は、電線１４１の端部に接続されており、電線１４１には、ゴム栓１４２が嵌着されている。雌端子収容部１３１は、電線１４１およびゴム栓１４２を収容するゴム栓収容部１３８を有している。ゴム栓１４２は、ゴム栓収容部１３８の内周面と電線１４１の外周面との間に挟持され、ゴム栓収容部１３８から雌端子収容部１３１の内部に水が浸入することが抑制される。
【００２６】
雌ハウジング１３０の外筒部１３５は、図８に示すように、二重筒構造とされており、外筒部１３５の内部には、第３ゴムリング７３が収容されている。第３ゴムリング７３は、内筒部１３４によって前方へ抜けることが防止されている。雄コネクタ２０と雌コネクタ１２０を嵌合させる際には、アウターハウジング３０の外フード部３１を外筒部１３５の内部に挿入することになる。アウターハウジング３０の外フード部３１と外筒部１３５の間に第３ゴムリング７３が挟持され、外筒部１３５と外フード部３１との間がシールされる。
【００２７】
次に、本実施形態のコネクタ１０の離脱操作について説明する。雄コネクタ２０と雌コネクタ１２０が嵌合した状態では、図８および図１４に示すように、各雄端子５０が各雌端子１４０に嵌合接続しており、強電回路がオン状態とされている。また、ショートピン６０が各インターロック端子１５０に嵌合接続しており、インターロック回路がオン状態とされている。この状態から雄コネクタ２０と雌コネクタ１２０を離脱させると、図９および図１５に示すように、アウターハウジング３０のみが前方位置から後方位置へ向けて少し移動し、インナーハウジング４０については移動しないものとされている。
【００２８】
アウターハウジング３０を移動させていくと、図１０および図１６に示すように、ショートピン６０が各インターロック端子１５０から離脱し、インターロック回路が閉じた閉状態からインターロック回路が開いた開状態へと切り替わる。インターロック回路が開くことで強電回路がオン状態からオフ状態に切り替わる。このとき、各雄端子５０は各雌端子１４０に嵌合接続したままとなっており、強電回路がオン状態のまま開いてしまうことが防止されている。ここで、離脱操作は一旦停止され、リレーによって強電回路がオン状態からオフ状態に切り替わるまでの遅延時間が確保される。
【００２９】
強電回路がオフ状態となった後、アウターハウジング３０の移動を再開させると、アウターハウジング３０とインナーハウジング４０が一体となって移動し、図１１および図１７に示すように、各雄端子５０が各雌端子１４０から離脱方向に移動し始める。引き続き、アウターハウジング３０の移動を続けると、図１２および図１８に示すように、各雄端子５０が各雌端子１４０から離脱する。これにより、アウターハウジング３０は、強電回路が閉じた通電位置（図８から図１２に示すアウターハウジング３０の位置）から、強電回路が開いた非通電位置（図１３に示すアウターハウジング３０の位置）へと移動する。図１３および図１９に示すように、アウターハウジング３０が非通電位置に至ると、強電回路が完全に開いた状態となる。
【００３０】
次に、本実施形態のコネクタ１０の嵌合操作について説明する。雄コネクタ２０と雌コネクタ１２０の嵌合操作は、アウターハウジング３０のみを手に持って行うものの、アウターハウジング３０に連動してインナーハウジング４０も移動する。インナーハウジング４０の内フード部４３をフロントホルダ１３７の外周側に挿入していくと、内フード部４３と第１ゴムリング７１が摺動を開始する際の摩擦力によって挿入力が一時的に大きくなる。図１３に示す状態から、雄端子５０の前端部を雌端子１４０の内部に挿入していく。すると、図１２に示すように、雄端子５０と雌端子１４０が摺動を開始する際の摩擦力によって挿入力が一時的に大きくなる。
【００３１】
インナーハウジング４０の内フード部４３と雌端子収容部１３１の嵌合が完了すると、雄端子５０と雌端子１４０の嵌合が完了する。これにより、強電回路が閉じられる。引き続き、アウターハウジング３０を嵌合方向に押し込むと、インナーハウジング４０が静止したまま、アウターハウジング３０のみが移動し始める。アウターハウジング３０の外フード部３１と第３ゴムリング７３とが摺動を開始すると、このときの摩擦力によって挿入力が一時的に大きくなる。次に、アウターハウジング３０の外フード部３１が第３ゴムリング７３に乗り上げると、外フード部３１と第３ゴムリング７３が摺動を開始する際の摩擦力によって挿入力が一時的に大きくなる。
【００３２】
この後、ショートピン６０の前端部をインターロック端子１５０の内部に挿入していくと、図１５に示すように、ショートピン６０とインターロック端子１５０が摺動を開始する際の摩擦力によって挿入力が一時的に大きくなる。そして、アウターハウジング３０の外フード部３１と外筒部１３５の嵌合が完了すると、ショートピン６０とインターロック端子１５０の嵌合が完了する。これにより、インターロック回路が閉じられて強電回路がオフ状態からオン状態に切り替わる。このように本実施形態では、挿入力が一時的に大きくなるタイミングをずらすようにしているから、雄コネクタ２０の挿入力のピーク値を低減させることができる。
【００３３】
以上のように本実施形態では、アウターハウジング３０に弱電端子（ショートピン６０）を保持させ、インナーハウジング４０に強電端子（雄端子５０）を保持させ、アウターハウジング３０の離脱操作とインナーハウジング４０の離脱操作とを別々に行うことで、二段階離脱操作を確実に行うことができる。一方、コネクタ１０の嵌合時には、インナーハウジング４０が先に相手側コネクタ（雌コネクタ１２０）に嵌合し、その後、アウターハウジング３０が相手側コネクタに嵌合するため、各ハウジング３０、４０の挿入力がピークを迎えるタイミングをずらすことができ、コネクタ（雄コネクタ２０）の挿入力のピーク値を低減させることができる。
【００３４】
コネクタ（雄コネクタ２０）と相手側コネクタ（雌コネクタ１２０）が正規に嵌合した状態では、インナーハウジング４０とアウターハウジング３０の双方が相手側コネクタに嵌合しており、インターロック回路と強電回路の双方が閉じた状態となっている。この状態から、まず、アウターハウジング３０のみを相手側コネクタから離脱させてインターロック回路を開くことにより、強電回路がオン状態からオフ状態に切り替わる。次に、インナーハウジング４０を相手側コネクタから離脱させることにより、オフ状態となった強電回路を開くことができる。
【００３５】
このように、コネクタを相手側コネクタから離脱させる離脱操作を、アウターハウジング３０の離脱操作とインナーハウジング４０の離脱操作とに分けると、自ずと各離脱操作の切替時間が必要になる。この切替時間を、インターロック回路が開いてから強電回路がオフ状態に至るまでの遅延時間とすることで二段階離脱操作が可能になる。したがって、従来のように遅延時間を確保するためにハウジングとは別体の部品を用いる必要がなく、部品点数の削減につながる。
【００３６】
アウターハウジング３０は、インターロック回路が閉じた閉状態と、インターロック回路が開いた開状態とを切替可能とされ、インナーハウジング４０は、閉状態にあるときには相手側コネクタと嵌合した状態に保持されており、開状態にあるときには相手側コネクタから離脱可能とされている構成としてもよい。
このような構成によると、アウターハウジング３０が閉状態にあるときには、インナーハウジング４０が相手側コネクタから離脱することが阻止される。一方、アウターハウジング３０が開状態にあるときには、インナーハウジング４０が相手側コネクタから離脱可能となる。したがって、アウターハウジング３０を閉状態から開状態に切り替えた後、インナーハウジング４０の離脱操作を開始することができる。
【００３７】
開状態にあるアウターハウジング３０は、強電回路が閉じた通電位置と、強電回路が開いた非通電位置との間ではインナーハウジング４０と一体的に移動可能とされている構成としてもよい。
このような構成によると、開状態にあるアウターハウジング３０とインナーハウジング４０とが一体的に通電位置と非通電位置との間を移動するから、インターロック回路が開いた状態のまま、強電回路の開閉を行うことができる。
【００３８】
＜他の実施形態＞
本明細書によって開示される技術は上記記述及び図面によって説明した実施形態に限定されるものではなく、例えば次のような種々の態様も含まれる。
（１）上記実施形態では、アウターハウジング３０を雌ハウジング１３０から離脱させた後でなければ、インナーハウジング４０が雌ハウジング１３０から離脱できないように構成されているものの、アウターハウジング３０の離脱操作とインナーハウジング４０の離脱操作を同時に行うことができる構成を排除するものではなく、その場合には離脱操作の順番を予め決めておけばよい。
【００３９】
（２）上記実施形態では、強電回路が閉じた通電位置と強電回路が開いた非通電位置との間ではアウターハウジング３０とインナーハウジング４０が一体的に移動可能とされているものの、アウターハウジング３０のみが移動可能とされているものでもよい。
【符号の説明】
【００４０】
２０…雄コネクタ
３０…アウターハウジング
４０…インナーハウジング
５０…雄端子（強電端子）
６０…ショートピン（弱電端子）
１２０…雌コネクタ（相手側コネクタ）
【図１】
2017098023.tif 000003
【図２】
2017098023.tif 000004
【図３】
2017098023.tif 000005
【図４】
2017098023.tif 000006
【図５】
2017098023.tif 000007
【図６】
2017098023.tif 000008
【図７】
2017098023.tif 000009
【図８】
2017098023.tif 000010
【図９】
2017098023.tif 000011
【図１０】
2017098023.tif 000012
【図１１】
2017098023.tif 000013
【図１２】
2017098023.tif 000014
【図１３】
2017098023.tif 000015
【図１４】
2017098023.tif 000016
【図１５】
2017098023.tif 000017
【図１６】
2017098023.tif 000018
【図１７】
2017098023.tif 000019
【図１８】
2017098023.tif 000020
【図１９】
2017098023.tif 000021
【図２０】
2017098023.tif 000022
【図２１】
2017098023.tif 000023